(57)【要約】      （修正有）【課題】マンホール内に異常高水位が発生する虞が低減されたマンホールポンプ装置の制御装置、マンホールポンプ装置及びマンホールポンプ装置の運転方法を提供する。【解決手段】マンホールに流入し貯留された水の水位を水位計により検出し（ＳＡ１）、水位が所定のポンプ起動水位に達していない場合であっても（ＳＡ２；Ｎ）、通信部が上流側のマンホールポンプ装置のポンプの起動制御情報を受信すると（ＳＡ４；Ｙ）、制御部は水位計による検出水位と、上流側のポンプが起動することにより流入が予測される水の量に基づいて予測水位を算出し（ＳＡ５）、予測水位がポンプ起動水位以上であると（ＳＡ６；Ｙ）、ポンプ起動水位より低い水位でポンプを起動する（ＳＡ３）。【選択図】図５
2010133079.tif 000002
【特許請求の範囲】
【請求項１】
流入管から流入した水を貯留するマンホールと、前記マンホールに貯留された水を流出管に圧送するポンプと、前記マンホールに貯留された水の水位を計測する水位計を備えたマンホールポンプ装置に設置され、前記水位計で計測された水位が所定のポンプ起動水位に達すると前記ポンプを起動する制御部と、外部装置との間で前記制御部による制御情報を送受信する通信部とを備えているマンホールポンプ装置の制御装置であって、
前記制御部は、前記通信部で受信された上流側のマンホールポンプ装置の制御情報に基づいて当該上流側のポンプが起動されていることを検出し、前記水位計による検出水位と、上流側のポンプが起動することにより流入が予測される水の量に基づいて算出した予測水位が前記ポンプ起動水位以上になるときに、前記ポンプ起動水位より低い水位で前記ポンプを起動するように構成されているマンホールポンプ装置の制御装置。
【請求項２】
前記制御部は、前記水位計による検出水位に基づいて算出した水位の上昇速度が予め設定された第一閾値以上となるときに、前記ポンプ起動水位より低い水位で前記ポンプを起動するように構成されている請求項１記載のマンホールポンプ装置の制御装置。
【請求項３】
前記制御部は、前記通信部で受信された上流側のマンホールポンプ装置の制御情報に基づいて当該上流側のマンホールポンプ装置の水位上昇速度が予め設定された第二閾値以上であることを検出すると、前記ポンプ起動水位より低い水位で前記ポンプを起動するように構成されている請求項１または２記載のマンホールポンプ装置の制御装置。
【請求項４】
流入管から流入した水を貯留するマンホールと、前記マンホールに貯留された水を流出管に圧送するポンプと、前記マンホールに貯留された水の水位を計測する水位計を備えたマンホールポンプ装置に設置され、前記水位計で計測された水位が所定のポンプ起動水位に達すると前記ポンプを起動する制御部と、外部装置との間で前記制御部による制御情報を送受信する通信部とを備えているマンホールポンプ装置の制御装置であって、
前記制御部は、前記水位計による検出水位に基づいて算出した水位の上昇速度が予め設定された第一閾値以上であり、且つ、前記通信部で受信された上流側のマンホールポンプ装置の制御情報に基づいて当該上流側のポンプが起動されていることを検出すると、前記ポンプ起動水位より低い水位で前記ポンプを起動するように構成されているマンホールポンプ装置の制御装置。
【請求項５】
前記制御部は、前記通信部で受信された上流側のマンホールポンプ装置の制御情報に基づいて当該上流側のマンホールポンプ装置の水位上昇速度が予め設定された第二閾値以上であることを検出すると、前記ポンプ起動水位より低い水位で前記ポンプを起動するように構成されている請求項４記載のマンホールポンプ装置の制御装置。
【請求項６】
流入管から流入した水を貯留するマンホールと、前記マンホールに貯留された水を流出管に圧送するポンプと、前記マンホールに貯留された水の水位を計測する水位計を備えたマンホールポンプ装置に設置され、前記水位計で計測された水位が所定のポンプ起動水位に達すると前記ポンプを起動する制御部と、外部装置との間で前記制御部による制御情報を送受信する通信部とを備えているマンホールポンプ装置の制御装置であって、
前記制御部に計時部を備え、前記制御部は前記計時部により計時された時刻が予め設定された時間帯に含まれ、且つ、前記通信部で受信された上流側のマンホールポンプ装置の制御情報に基づいて当該上流側のポンプが起動されていることを検出すると、前記ポンプ起動水位より低い水位で前記ポンプを起動するように構成されているマンホールポンプ装置の制御装置。
【請求項７】
流入管から流入した水を貯留するマンホールと、前記マンホールに貯留された水を流出管に圧送するポンプと、前記マンホールに貯留された水の水位を計測する水位計を備えたマンホールポンプ装置に設置され、前記水位計で計測された水位が所定のポンプ起動水位に達すると前記ポンプを起動する制御部と、外部装置との間で前記制御部による制御情報を送受信する通信部とを備えているマンホールポンプ装置の制御装置であって、
前記制御部に計時部と、前記ポンプ起動水位より低い水位で前記ポンプを起動した時間帯を学習する学習部を備え、前記制御部は前記計時部により計時された時刻が前記学習部で学習された時間帯に含まれ、且つ、前記通信部で受信された上流側のマンホールポンプ装置の制御情報に基づいて当該上流側のポンプが起動されていることを検出すると、前記ポンプ起動水位より低い水位で前記ポンプを起動するように構成されているマンホールポンプ装置の制御装置。
【請求項８】
流入管から流入した水を貯留するマンホールと、前記マンホールに貯留された水を流出管に圧送するポンプと、前記マンホールに貯留された水の水位を計測する水位計を備えたマンホールポンプ装置に設置され、前記水位計で計測された水位が所定のポンプ起動水位に達すると前記ポンプを起動する制御部と、外部装置との間で前記制御部による制御情報を送受信する通信部とを備えているマンホールポンプ装置の制御装置であって、
前記制御部は、前記マンホールポンプ装置の設置箇所近傍の降雨量を計測する雨量計を備え、前記雨量計による単位時間当たりの降雨量の計測値が予め設定された第一閾値以上であり、且つ、前記通信部で受信された上流側のマンホールポンプ装置の制御情報に基づいて当該上流側のポンプが起動されていることを検出すると、前記ポンプ起動水位より低い水位で前記ポンプを起動するように構成されているマンホールポンプ装置の制御装置。
【請求項９】
流入管から流入した水を貯留するマンホールと、前記マンホールに貯留された水を流出管に圧送するポンプと、前記マンホールに貯留された水の水位を計測する水位計を備えたマンホールポンプ装置に設置され、前記水位計で計測された水位が所定のポンプ起動水位に達すると前記ポンプを起動する制御部と、外部装置との間で前記制御部による制御情報を送受信する通信部とを備えているマンホールポンプ装置の制御装置であって、
前記制御部は、前記通信部で受信された上流側のマンホールポンプ装置の制御情報に基づいて当該上流側のマンホールポンプ装置に備えた雨量計によって計測された単位時間当たりの降雨量の計測値が予め設定された第二閾値以上であり、且つ、前記通信部で受信された上流側のマンホールポンプ装置の制御情報に基づいて当該上流側のポンプが起動されていることを検出すると、前記ポンプ起動水位より低い水位で前記ポンプを起動するように構成されているマンホールポンプ装置の制御装置。
【請求項１０】
請求項１から９の何れか一項に記載のマンホールポンプ装置の制御装置を備えたマンホールポンプ装置。
【請求項１１】
流入管から流入した水を貯留するマンホールと、前記マンホールに貯留された水を流出管に圧送するポンプと、前記マンホールに貯留された水の水位を計測する水位計を備えたマンホールポンプ装置に設置され、前記水位計で計測された水位が所定のポンプ起動水位に達すると前記ポンプを起動する制御部と、外部装置との間で前記制御部による制御情報を送受信する通信部とを備えているマンホールポンプ装置の運転方法であって、
前記制御部は、前記通信部で受信された上流側のマンホールポンプ装置の制御情報に基づいて当該上流側のポンプが起動されていることを検出し、前記水位計による検出水位と、上流側のポンプが起動することにより流入が予測される水の量に基づいて算出した予測水位が前記ポンプ起動水位以上になるときに、前記ポンプ起動水位より低い水位で前記ポンプを起動するマンホールポンプ装置の運転方法。
【発明の詳細な説明】
【技術分野】
【０００１】
本発明は、流入管から流入した水を貯留するマンホールと、前記マンホールに貯留された水を流出管に圧送するポンプと、前記マンホールに貯留された水の水位を計測する水位計を備えたマンホールポンプ装置に設置され、前記水位計で計測された水位が所定のポンプ起動水位に達すると前記ポンプを起動する制御部と、外部装置との間で前記制御部による制御情報を送受信する通信部とを備えているマンホールポンプ装置の制御装置、マンホールポンプ装置及びマンホールポンプ装置の運転方法に関する。
【背景技術】
【０００２】
マンホールポンプ装置９０は、図９に示すように、流入管９１ａから流入した汚水や雨水等の水を貯留するマンホール９２と、マンホール９２に貯留された水を流出管９１ｂに圧送する複数のポンプ９３ａ，９３ｂと、マンホール９２に貯留された水の水位を計測する水位計９４と、水位計９４で計測された水位が所定のポンプ起動水位ＨＷＬに達するとポンプ９３ａ、または、ポンプ９３ｂを起動し、所定のポンプ停止水位ＬＬＷＬに達するとポンプ９３ａ、または、ポンプ９３ｂを停止する制御装置９５を備えて構成されている。このようなマンホールポンプ装置９０は、地中に埋設された管を介して所定の間隔で接続され、各マンホールポンプ装置には、上流のマンホールポンプ装置からの水のみならず近隣の住居、工場等からも汚水や雨水等の水が流入するように構成されている。
【０００３】
例えば、図１０に示すように、マンホールポンプ装置９０ａには、上流側の複数のマンホールポンプ装置９０ｂ，９０ｃ，９０ｄから流入する水のみならず、近隣の住居９６ａ，９６ｂ，９６ｃ等からも汚水や雨水等の水が流入するため、上流側のマンホールポンプ装置９０ｂ，９０ｃ，９０ｄに対して下流側のマンホールポンプ装置９０ａは、マンホール９２の貯留容量およびポンプ９３の排出量が多くなるように設計されている。
【特許文献１】特開平７−１８７２８号公報
【発明の開示】
【発明が解決しようとする課題】
【０００４】
しかし、設計時の住居等からの水の想定流入量より、実際の流入量が多いことがあり、下流側のマンホールポンプの貯留容量が十分でない場合や、下流側のポンプの排出量が十分でない場合がある。
【０００５】
また、雨水が流入する合流方式の場合や、雨水と汚水を分流する方式であっても、不明水として雨水が汚水に混ざる場合、集中豪雨等の時に一時的に流入量が増大する場合がある。
【０００６】
このような場合に、下流側のマンホールポンプ装置で、水位がポンプ起動水位に達するのを待ってからポンプを起動すると、流入する水量に対して排水が間に合わず、マンホール内が異常高水位になる虞がある。
【０００７】
マンホール内が異常高水位になった場合は、当該マンホールポンプ装置の維持管理担当者に公衆回線や無線等を通じて異常警報の報知がされ、上流側のマンホールポンプ装置のポンプを停止して、下流側のマンホールポンプ装置から水が溢れるのを回避するための作業等が必要であり煩雑であった。
【０００８】
本発明は、マンホール内に異常高水位が発生する虞が低減されたマンホールポンプ装置の制御装置、マンホールポンプ装置及びマンホールポンプ装置の運転方法を提供することを目的とする。
【課題を解決するための手段】
【０００９】
上述の目的を達成するため、本発明によるマンホールポンプ装置の制御装置の第一の特徴構成は、特許請求の範囲の書類の請求項１に記載した通り、流入管から流入した水を貯留するマンホールと、前記マンホールに貯留された水を流出管に圧送するポンプと、前記マンホールに貯留された水の水位を計測する水位計を備えたマンホールポンプ装置に設置され、前記水位計で計測された水位が所定のポンプ起動水位に達すると前記ポンプを起動する制御部と、外部装置との間で前記制御部による制御情報を送受信する通信部とを備えているマンホールポンプ装置の制御装置であって、前記制御部は、前記通信部で受信された上流側のマンホールポンプ装置の制御情報に基づいて当該上流側のポンプが起動されていることを検出し、前記水位計による検出水位と、上流側のポンプが起動することにより流入が予測される水の量に基づいて算出した予測水位が前記ポンプ起動水位以上になるときに、前記ポンプ起動水位より低い水位で前記ポンプを起動するように構成されている点にある。
【００１０】
上述の構成によれば、水位計による検出水位と、上流側のポンプが起動することにより流入が予測される水の量に基づいて算出した予測水位が前記ポンプ起動水位以上になるときに、マンホール内の水位がポンプの起動水位に達していなくてもポンプを起動し、マンホール内に貯留された水を排出することで、実質的にマンホール内の貯留容量を増やすことができる。従って、設計時の住居等からの水の想定流入量より実際の流入量が多く、下流側のマンホールの貯留容量が十分でない場合や、下流側のポンプの排出量が十分でない場合や、集中豪雨等の突発的に水の流入量が増大する場合でも、異常高水位の発生やマンホールからの水の溢れの発生を未然に回避することができるようになる。
【００１１】
同第二の特徴構成は、同請求項２に記載した通り、上述の第一特徴構成に加えて、前記制御部は、前記水位計による検出水位に基づいて算出した水位の上昇速度が予め設定された第一閾値以上となるときに、前記ポンプ起動水位より低い水位で前記ポンプを起動するように構成されている点にある。
【００１２】
上述の構成によれば、水位の上昇速度を算出し、当該上昇速度が第一閾値以上である場合に、例えば集中豪雨等が発生し突発的に水の流入量が増大していたり、マンホールポンプ装置に流入する近隣の住居等からの水の量が想定した水量より多くなっていると判定して、所定の起動水位より低い水位でポンプを起動することにより、異常高水位の発生やマンホールからの水の溢れの発生を未然に回避することができるようになる。
【００１３】
同第三の特徴構成は、同請求項３に記載した通り、上述の第一または第二特徴構成に加えて、前記制御部は、前記通信部で受信された上流側のマンホールポンプ装置の制御情報に基づいて当該上流側のマンホールポンプ装置の水位上昇速度が予め設定された第二閾値以上であることを検出すると、前記ポンプ起動水位より低い水位で前記ポンプを起動するように構成されている点にある。
【００１４】
上述の構成によれば、上流側の水位上昇速度が第二閾値以上である場合、当該上流側のマンホールポンプ装置に流入する水の量が多くなっていると判定でき、下流側のマンホールポンプ装置に流入する水の量が増加することが予測できる。従って、このような場合に、所定の起動水位より低い水位でポンプを起動することで、低水位での不要なポンプの起動による発熱等の不都合な状態を回避しながらも、異常高水位の発生やマンホールからの水の溢れの発生を未然に回避できるようになる。
【００１５】
同第四の特徴構成は、同請求項４に記載したとおり、流入管から流入した水を貯留するマンホールと、前記マンホールに貯留された水を流出管に圧送するポンプと、前記マンホールに貯留された水の水位を計測する水位計を備えたマンホールポンプ装置に設置され、前記水位計で計測された水位が所定のポンプ起動水位に達すると前記ポンプを起動する制御部と、外部装置との間で前記制御部による制御情報を送受信する通信部とを備えているマンホールポンプ装置の制御装置であって、前記制御部は、前記水位計による検出水位に基づいて算出した水位の上昇速度が予め設定された第一閾値以上であり、且つ、前記通信部で受信された上流側のマンホールポンプ装置の制御情報に基づいて当該上流側のポンプが起動されていることを検出すると、前記ポンプ起動水位より低い水位で前記ポンプを起動するように構成されている点にある。
【００１６】
上述の構成によれば、水位の上昇速度が予め設定された第一閾値以上である場合に、通常より多くの水が流入する状態であると判定でき、そのような場合に上流側のポンプが起動されていることを検出すると、前記ポンプ起動水位より低い水位で前記ポンプを起動することにより、異常高水位の発生やマンホールからの水の溢れの発生を未然に回避することができるようになる。
【００１７】
同第五の特徴構成は、同請求項５に記載したとおり、上述の第四特徴構成に加えて、前記制御部は、前記通信部で受信された上流側のマンホールポンプ装置の制御情報に基づいて当該上流側のマンホールポンプ装置の水位上昇速度が予め設定された第二閾値以上であることを検出すると、前記ポンプ起動水位より低い水位で前記ポンプを起動するように構成されている点にある。
【００１８】
上述の構成によれば、水位の上昇速度が予め設定された第一閾値以上である場合に、通常より多くの水が流入する状態であると判定でき、そのような場合に上流側のマンホールポンプ装置の水位上昇速度が予め設定された第二閾値以上であることを検出すると、前記ポンプ起動水位より低い水位で前記ポンプを起動することにより、異常高水位の発生やマンホールからの水の溢れの発生を未然に回避することができるようになる。
【００１９】
同第六の特徴構成は、同請求項６に記載した通り、流入管から流入した水を貯留するマンホールと、前記マンホールに貯留された水を流出管に圧送するポンプと、前記マンホールに貯留された水の水位を計測する水位計を備えたマンホールポンプ装置に設置され、前記水位計で計測された水位が所定のポンプ起動水位に達すると前記ポンプを起動する制御部と、外部装置との間で前記制御部による制御情報を送受信する通信部とを備えているマンホールポンプ装置の制御装置であって、前記制御部に計時部を備え、前記制御部は前記計時部により計時された時刻が予め設定された時間帯に含まれ、且つ、前記通信部で受信された上流側のマンホールポンプ装置の制御情報に基づいて当該上流側のポンプが起動されていることを検出すると、前記ポンプ起動水位より低い水位で前記ポンプを起動するように構成されている点にある。
【００２０】
上述の構成によれば、計時部により計時された時刻が、予め朝方や夕方から夜間にかけての時間帯、土，日曜日や祝日等の曜日、週、月、さらには、梅雨のように一年の間でも雨水が多くなりなりやすい季節等のマンホールポンプ装置へ流入する水の量が多くなりやすい時間帯に含まれるときに、上流側のポンプが起動されていることを検出すると、所定の起動水位より低い水位でポンプを起動することで、低水位での不要なポンプの起動を適切に回避しながら、異常高水位の発生やマンホールからの水の溢れの発生を未然に回避できるようになる。
【００２１】
同第七の特徴構成は、同請求項７に記載したとおり、流入管から流入した水を貯留するマンホールと、前記マンホールに貯留された水を流出管に圧送するポンプと、前記マンホールに貯留された水の水位を計測する水位計を備えたマンホールポンプ装置に設置され、前記水位計で計測された水位が所定のポンプ起動水位に達すると前記ポンプを起動する制御部と、外部装置との間で前記制御部による制御情報を送受信する通信部とを備えているマンホールポンプ装置の制御装置であって、前記制御部に計時部と、前記ポンプ起動水位より低い水位で前記ポンプを起動した時間帯を学習する学習部を備え、前記制御部は前記計時部により計時された時刻が前記学習部で学習された時間帯に含まれ、且つ、前記通信部で受信された上流側のマンホールポンプ装置の制御情報に基づいて当該上流側のポンプが起動されていることを検出すると、前記ポンプ起動水位より低い水位で前記ポンプを起動するように構成されている点にある。
【００２２】
上述の構成によれば、所定のポンプ起動水位より低い水位でポンプが起動制御された時間帯、つまり、朝方や夕方から夜間にかけての時間帯、土，日曜日や祝日等の曜日、週、月、さらには、梅雨のように一年の間でも雨水が多くなりなりやすい季節等のマンホールポンプ装置に流入する水の量が多いと判断される時間帯が学習部で学習され、計時部で計時される時刻が学習の結果得られた時間帯に含まれるときに、上流側のポンプが起動されていることを検出すると、所定の起動水位より低い水位でポンプを起動することで、低水位での不要なポンプの起動を適切に回避しながら、異常高水位の発生やマンホールからの水の溢れの発生を未然に回避できるようになる。
【００２３】
同第八の特徴構成は、同請求項８に記載したとおり、流入管から流入した水を貯留するマンホールと、前記マンホールに貯留された水を流出管に圧送するポンプと、前記マンホールに貯留された水の水位を計測する水位計を備えたマンホールポンプ装置に設置され、前記水位計で計測された水位が所定のポンプ起動水位に達すると前記ポンプを起動する制御部と、外部装置との間で前記制御部による制御情報を送受信する通信部とを備えているマンホールポンプ装置の制御装置であって、前記制御部は、前記マンホールポンプ装置の設置箇所近傍の降雨量を計測する雨量計を備え、前記雨量計による単位時間当たりの降雨量の計測値が予め設定された第一閾値以上であり、且つ、前記通信部で受信された上流側のマンホールポンプ装置の制御情報に基づいて当該上流側のポンプが起動されていることを検出すると、前記ポンプ起動水位より低い水位で前記ポンプを起動するように構成されている点にある。
【００２４】
上述の構成によれば、制御部に備えた雨量計が計測する単位時間当たりの降雨量が、予め設定された第一閾値以上である場合に、通常より多くの水が流入する状態であると判定でき、そのような場合に上流側のポンプが起動されていることを検出すると、前記ポンプ起動水位より低い水位で前記ポンプを起動することにより、異常高水位の発生やマンホールからの水の溢れの発生を未然に回避することができるようになる。
【００２５】
同第九の特徴構成は、同請求項９に記載したとおり、流入管から流入した水を貯留するマンホールと、前記マンホールに貯留された水を流出管に圧送するポンプと、前記マンホールに貯留された水の水位を計測する水位計を備えたマンホールポンプ装置に設置され、前記水位計で計測された水位が所定のポンプ起動水位に達すると前記ポンプを起動する制御部と、外部装置との間で前記制御部による制御情報を送受信する通信部とを備えているマンホールポンプ装置の制御装置であって、前記制御部は、前記通信部で受信された上流側のマンホールポンプ装置の制御情報に基づいて当該上流側のマンホールポンプ装置に備えた雨量計によって計測された単位時間当たりの降雨量の計測値が予め設定された第二閾値以上であり、且つ、前記通信部で受信された上流側のマンホールポンプ装置の制御情報に基づいて当該上流側のポンプが起動されていることを検出すると、前記ポンプ起動水位より低い水位で前記ポンプを起動するように構成されている点にある。
【００２６】
上述の構成によれば、制御部に備えた雨量計が計測する単位時間当たりの降雨量が、予め設定された第一閾値以上である場合に、通常より多くの水が流入する状態であると判定でき、そのような場合に上流側のマンホールポンプ装置に備えた雨量計によって計測された単位時間当たりの降雨量の計測値が予め設定された第二閾値以上であり、上流側のポンプが起動されていることを検出すると、前記ポンプ起動水位より低い水位で前記ポンプを起動することにより、異常高水位の発生やマンホールからの水の溢れの発生を未然に回避することができるようになる。
【００２７】
本発明によるマンホールポンプ装置の特徴構成は、特許請求の範囲の書類の請求項１０に記載した通り、上述の第一から第九の何れかの特徴構成を備えたマンホールポンプ装置の制御装置を備えた点にある。
【００２８】
本発明によるマンホールポンプ装置の運転方法の特徴構成は、特許請求の範囲の書類の請求項１１に記載した通り、流入管から流入した水を貯留するマンホールと、前記マンホールに貯留された水を流出管に圧送するポンプと、前記マンホールに貯留された水の水位を計測する水位計を備えたマンホールポンプ装置に設置され、前記水位計で計測された水位が所定のポンプ起動水位に達すると前記ポンプを起動する制御部と、外部装置との間で前記制御部による制御情報を送受信する通信部とを備えているマンホールポンプ装置の運転方法であって、前記制御部は、前記通信部で受信された上流側のマンホールポンプ装置の制御情報に基づいて当該上流側のポンプが起動されていることを検出し、前記水位計による検出水位と、上流側のポンプが起動することにより流入が予測される水の量に基づいて算出した予測水位が前記ポンプ起動水位以上になるときに、前記ポンプ起動水位より低い水位で前記ポンプを起動する点にある。
【発明の効果】
【００２９】
以上説明した通り、本発明によれば、マンホール内に異常高水位が発生する虞が低減されたマンホールポンプ装置の制御装置、マンホールポンプ装置及びマンホールポンプ装置の運転方法を提供することができるようになった。
【発明を実施するための最良の形態】
【００３０】
以下に、本発明によるマンホールポンプ装置の制御装置、マンホールポンプ装置及びマンホールポンプ装置の運転方法を説明する。図１に示すように、マンホールポンプ装置１０は、流入管１１ａから流入した汚水や雨水等の水を貯留するマンホール１２と、マンホール１２に貯留された水を流出管１１ｂに圧送するポンプ１３と、マンホール１２に貯留された水の水位を計測する水位計１４と、水位計１４から信号に基づいてポンプ１３を制御する制御装置２０を備えている。
【００３１】
制御装置２０はマンホールポンプ装置１０の近傍に設けられた制御盤装置２００に収容された制御盤に組み込まれている。
【００３２】
なお、マンホールポンプ装置１０には、故障やメンテナンス等の為にポンプ１３は２台併設され、通常、交互運転するように設定されている。
【００３３】
水位計１４は、投込圧力式や気泡式の水位計が用いられ、マンホール１２の底部に設置されて、マンホール１２に貯留される水の水位を連続的に検出するように構成されている。さらに、水位計１４の故障に備えバックアップ用のフロート式の水位計１５が異常高水位となる高さに設置され、水位計１４及び水位計１５で異常高水位を検出するように構成されている。
【００３４】
図２に示すように、制御装置２０には制御部２１と通信部２２を備えている。
【００３５】
制御部２１は、図示しないＣＰＵと、前記ＣＰＵで実行されるポンプ１３の起動制御、停止制御等の各種制御プログラムが格納されたＲＯＭと、ワーキングエリアとして使用されるＲＡＭと、水位計１４により計測された水位やポンプ故障信号等の制御情報を入力し、ポンプを起動する制御信号等を出力する入出力回路を備えている。
【００３６】
制御部２１は、マンホール１２内の水位が所定の起動水位ＨＷＬまで上昇したことを水位計１４で検出すると、起動信号を出力しポンプ１３を起動し、マンホール１２内の水位が所定の貯留下端水位ＬＷＬまで低下したことを水位計１４で検出すると、内部に備えたタイマーにより所定時間駆動した後停止信号を出力し、停止水位ＬＬＷＬでポンプ１３の運転を停止するように構成されている。
【００３７】
よって、ポンプ１３は、マンホール１２内の水位がポンプ起動水位ＨＷＬに達して起動すると、水位が停止水位ＬＬＷＬに達するまで流出管１１ｂへと圧送することとなる。また、タイマーを用いずにマンホール１２内の水位が所定の貯留下端水位ＬＷＬ、または、停止水位ＬＬＷＬまで低下したことを水位計１４で検出すると、ポンプ１３の運転を停止するように構成してもよい。
【００３８】
しかし、ポンプ１３によるマンホール１２に貯留された水の単位時間あたりの圧送排出量より、マンホール１２への水の単位時間当たりの流入量が多い場合には、ポンプ１３を起動しても水位が上昇してしまうことがあり、マンホール１２から水が溢れる虞があるので、異常高水位ＨＨＷＬを設け、制御部２１は、マンホール１２内の水位が異常高水位ＨＨＷＬに達したことを水位計１４及び水位計１５で検出すると、異常発生信号を通信部２２に出力するように構成されている。
【００３９】
図３に示すように、マンホールポンプ装置１０の制御装置２０に備えられた通信部２２は、上流側のマンホールポンプ装置４０及び下流側のマンホールポンプ装置５０に備えられた通信部、或いは各マンホールポンプ装置を集中管理する管理センター５２等の外部装置との間で、制御部２１により制御されるポンプ１３の運転・停止及び運転時間、故障発生等の稼働状況や、異常水位の発生等の制御情報を送受信するように構成されている。
【００４０】
通信部２２は、データ回線網、携帯電話網、一般電話回線網等の公衆回線網、或いは小エリア無線等のローカル通信媒体等に対応する通信端末で構成することができる。
【００４１】
図３では、各マンホール装置４０，５０間の通信が小電力無線ネットワーク５４用の通信端末で行なわれ、各通信端末を介して得られた制御情報を統括する通信端末が設置されたマンホールポンプ装置１０に、外部装置と通信する通信装置が設置されている。当該通信装置は、携帯電話回線網５５用の通信装置で構成され、基地局５３を介して管理センター５２と通信が行なわれる例を示している。
【００４２】
管理センター５２では、地域毎に設置された各マンホールポンプ装置１０，４０，５０の可動状況を集中管理し、故障、溢水等の事故の発生を検知すると、最寄りの管理事務所に発報するように構成されている。
【００４３】
制御部２１は、通信部２２で受信された上流側のマンホールポンプ装置４０の制御情報に基づいて当該上流側のマンホールポンプ装置４０に備えたポンプが起動されていることを検出し、水位計１４による検出水位ＰＬと、前記上流側のポンプが起動することにより流入が予測される水の量に基づいて算出した予測水位ＶＬがポンプ起動水位ＨＷＬ以上になるときに、ポンプ起動水位ＨＷＬより低い水位でポンプ１３を起動するように構成されている。
【００４４】
つまり、上流側に隣接するマンホールポンプ装置４０の制御情報に基づいて、前記上流側のポンプから流入することにより上昇する予測水位がポンプ起動水位ＨＷＬ以上になるときに、すなわち、マンホールポンプ装置４０のポンプ起動水位と停止水位の間の容積に相当する水が流入することによるマンホールポンプ装置１０の水位上昇量を算出し、この水位上昇量を検出水位ＰＬに加えた予測水位がポンプ起動水位ＨＷＬ以上になるときに、事前に下流側のポンプ１３を起動してマンホール１２内に貯留された水を排出することで、実質的に下流側のマンホール１２内の貯留容量を増やすことができる。
【００４５】
従って、マンホールポンプ装置１２を設置した時点における設計値である近隣の住居等からの水の想定流入量より実際の流入量が多くなり、下流側のマンホール１２の貯留容量が十分でない場合や、下流側のポンプ１３の排出量が十分でない場合や集中豪雨等の突発的に雨水の流入量が増大するような水の流入量が増大する場合でも、異常高水位の発生及びマンホール１２からの汚水や雨水等の水の溢れの発生の虞を低減できるようになる。
【００４６】
本発明によるマンホールポンプ装置１０の起動制御及び運転方法について、図４及び図５に示すフローチャートに基づいて説明する。
【００４７】
まず、上流側のマンホールポンプ装置４０及び近隣の住居６０から流入管１１ａを介してマンホール１２に流入し貯留された水の水位ＰＬが水位計１４により連続的に検出され（ＳＡ１）、制御部２１は、水位ＰＬが所定のポンプ起動水位ＨＷＬに達しているか否かを判断する（ＳＡ２）。
【００４８】
水位ＰＬが所定のポンプ起動水位ＨＷＬに達していれば（ＳＡ２；ＹＥＳ）、制御部２１はポンプ１３を起動し（ＳＡ３）、マンホール１２内に貯留された水を流出管１１ｂに圧送する。
【００４９】
水位ＰＬが所定のポンプ起動水位ＨＷＬに達していない場合であっても（ＳＡ２；ＮＯ）、通信部２２が上流側のマンホールポンプ装置４０のポンプ４３の起動制御情報を受信すると（ＳＡ４；ＹＥＳ）、水位計１４による検出水位と、上流側のポンプ４３が起動することにより流入が予測される水の量、すなわち、ポンプ４３により送出される水の量に基づいて予測水位ＶＬを算出し（ＳＡ５）、予測水位ＶＬがポンプ起動水位ＨＷＬ以上であると（ＳＡ６；ＹＥＳ）、ポンプ起動水位ＨＷＬより低い水位でポンプ１３を起動する（ＳＡ３）。算出した予測水位ＶＬがポンプ起動水位ＨＷＬに達していなければ（ＳＡ６；ＮＯ）、ポンプ１３を起動しない。なお、ステップＳＡ４とステップＳＡ５の順序は上記に限定されるものではなく、ステップＳＡ５の後にステップＳＡ４の処理を行ってもよい。
【００５０】
次に、マンホールポンプ装置１０のポンプ１３の停止制御について、図６に示すフローチャートに基づいて説明する。
【００５１】
水位計１４によりマンホール１２に貯留された流入管１１ａから流入した水の水位が連続的に検出され（ＳＢ１）、制御部２１へ入力される。制御部２１は、水位計１４で検出された水位が所定の貯留下端水位ＬＷＬに達しているか否かを判断する（ＳＢ２）。
【００５２】
前記水位計１４で検出された水位が所定の貯留下端水位ＬＷＬに達していれば（ＳＣ２；ＹＥＳ）、制御部２１はタイマーを所定時間セットし（ＳＢ３）、タイマーがカウントアップすると（ＳＢ４；ＹＥＳ）、ポンプ１３を停止する（ＳＢ５）。
【００５３】
以下、本発明によるマンホールポンプ装置の制御装置、マンホールポンプ装置及びマンホールポンプ装置の運転方法の別実施形態について説明する。
【００５４】
制御部２１が算出した水位ＰＬの上昇速度ｖ１が予め設定された第一閾値以上となる場合、または、通信部２２で受信された上流側のマンホールポンプ装置４０の制御情報に基づいて当該上流側のマンホールポンプ装置４０の水位上昇速度ｖ２が予め設定された第二閾値以上であることを検出した場合、或いは、双方が同時に満たされる場合に、制御部２１が、当該上流側のポンプ４３が起動されたことを検出し、水位計１４による検出水位ＰＬと、上流側のポンプ４３から流入を予測した水の量に基づいて予測水位ＶＬを算出し、当該予測水位ＶＬがポンプ起動水位ＨＷＬ以上になるときに、ポンプ起動水位ＨＷＬより低い水位でポンプ１３を起動するように制御してもよい。
【００５５】
水位ＰＬの上昇速度ｖ１を算出し、当該上昇速度ｖ１が第一閾値以上である場合は、集中豪雨等により突発的に雨水等の水の流入量が増加し、或いは、マンホールポンプ装置１０に流入する近隣の住居等からの水の量が想定した水量より多くなっていると判断して、起動水位ＨＷＬより低い水位でポンプ１３を起動するのである。
【００５６】
同様に、上流側の水位上昇速度ｖ２が第二閾値以上である場合は、上流側のマンホールポンプ装置４０に流入する水の量が多くなり、下流側のマンホールポンプ装置１０に流入する水の流入量も増加することが予測できるので、その場合に、所定の起動水位ＨＷＬより低い水位でポンプを起動するのである。
【００５７】
さらに、制御部２１は、計時部２３を備え、計時部２３により計時された時刻が予め制御盤で設定された時間帯に含まれるときを条件に、上述した起動水位ＨＷＬより低い水位でポンプ１３を起動する制御を実行するように構成してもよい。
【００５８】
住宅街では、朝方や夕方から夜間にかけての時間帯に生活排水が増加し、工場地帯では、土曜日、日曜日、祝日等の休日に排水量が減少し、平日に排水量が増加する等の傾向があるため、その地域特性に注目して、計時部２３により計時された時刻が前記時間帯に含まれるときに、上流側のポンプが起動した際に上述した起動水位ＨＷＬより低い水位でポンプ１３を起動する制御を実行するのである。
【００５９】
このように、水の流入量が増加すると予測される時間帯に上述した起動水位ＨＷＬより低い水位でポンプ１３を起動する制御を実行するように構成すると、不必要に低水位でポンプ１３を起動することによる発熱によるポンプの劣化を効果的に抑制しながらも、異常水位に上昇する事態を回避することができる。
【００６０】
さらには、季節変動による汚水や雨水等の水の流入量の増減を加味すべく、計時部２３により季節等を判定し、予め設定された季節情報や、過去の降雨量データに基づいて設定された日時データに基づいて、水の流入量が増加すると予測される時間帯に上述した起動水位ＨＷＬより低い水位でポンプ１３を起動する制御を実行するように構成すれば、梅雨時期や台風到来時期に対応できるようになる。
【００６１】
上述した別実施形態を組み込んだマンホールポンプ装置１０のポンプ１３の運転方法について、図７に示すフローチャートに基づいて説明する。
【００６２】
まず、上流側のマンホールポンプ装置４０からの水及び近隣の住居６０から流入管１１ａを介してマンホール１２に流入し貯留された水の水位ＰＬが水位計１４により連続的に検出され（ＳＣ１）、制御部２１は検出された水位ＰＬから水位上昇速度ｖ１を演算する（ＳＣ２）。次に、制御部２１は、水位ＰＬが所定のポンプ起動水位ＨＷＬに達しているか否かを判断する（ＳＣ３）。
【００６３】
水位ＰＬが所定のポンプ起動水位ＨＷＬに達していれば（ＳＣ３；ＹＥＳ）、制御部２１はポンプ１３を起動し（ＳＣ４）、マンホール１２内に貯留された水を流出管１１ｂに圧送する。
【００６４】
水位ＰＬが所定のポンプ起動水位ＨＷＬに達していない場合（ＳＣ３；ＮＯ）、制御部２１は、計時部２３により計時された現在時刻が予め設定された時間帯に含まれるか否かを判断する（ＳＣ５）。当該時刻が予め設定され時間帯に含まれるのであれば（ＳＣ５；ＹＥＳ）、演算された水位上昇速度ｖ１が第一閾値以上であるか否かを判断する（ＳＣ６）。
【００６５】
水位上昇速度ｖ１が第一閾値以上であるときに（ＳＣ６；ＹＥＳ）、通信部２２が上流側のマンホールポンプ装置４０のポンプ４３の起動制御情報及び上流側のマンホール４２の水位上昇速度ｖ２の情報を受信すると（ＳＣ７；ＹＥＳ）、水位上昇速度ｖ２が第二閾値以上であるか否かを判断する（ＳＣ８）。水位上昇速度ｖ２が第二閾値以上であれば（ＳＣ８；ＹＥＳ）、水位計１４による検出水位と、上流側のポンプ４３が起動することにより流入が予測される水の量に基づいて予測水位ＶＬを算出し（ＳＣ９）、予測水位ＶＬがポンプ起動水位ＨＷＬ以上であると（ＳＣ１０；ＹＥＳ）、ポンプ起動水位ＨＷＬより低い水位でポンプ１３を起動する（ＳＣ４）。
【００６６】
制御部２１は、計時部２３で計時された時間帯が予め設定された時間帯に含まれない場合や（ＳＣ５；ＮＯ）、前記時間帯が予め設定された時間帯に含まれるときでも（ＳＣ５；ＹＥＳ）、マンホール１２の水位上昇速度ｖ１が第一閾値に達していない場合や（ＳＣ６；ＮＯ）、マンホール１２の水位上昇速度ｖ１が第一閾値以上であっても、通信部２２が上流側のマンホールポンプ装置４０のポンプ４３の起動制御情報を受信しない場合や（ＳＣ４；ＮＯ）、通信部２２が上流側のマンホールポンプ装置４０のポンプ４３の起動制御情報を受信しても（ＳＣ７；ＹＥＳ）、上流側のマンホールポンプ装置４０に備えた水位計４４で検出され、マンホールポンプ装置４０の近傍に設けられた制御盤装置３００に収容された制御盤に組み込まれている制御装置３０で演算された水位上昇速度ｖ２が第二閾値に達していない場合や（ＳＣ８；ＮＯ）、上流側の水位上昇速度ｖ２が第二閾値以上であっても（ＳＣ８；ＹＥＳ）、算出した予測水位ＶＬがポンプ起動水位ＨＷＬに達していなければ（ＳＣ１０；ＮＯ）、ポンプ１３を起動しない。
【００６７】
なお、上述の図７に示すフローチャートにおいて、ステップＳＣ７による判断基準は必須であるが、ステップＳＣ５，ＳＣ２及びＳＣ６，ＳＣ８，ＳＣ９及びＳＣ１０による判断基準は必ずしも全て備える必要はなく、マンホール１２の有効貯留容量や水の流入量、排出量等の条件により何れか一つ、または、複数の判断基準を組み合わせてもよい。また、その順序はこれに限定されるものではない。
【００６８】
例えば、ステップＳＣ２及びＳＣ６，ＳＣ７，ＳＣ９及びＳＣ１０による判断基準を組み合わせた構成であってもよい。これにより、制御部２１は、通信部２２で受信された上流側のマンホールポンプ装置４０の制御情報に基づいて当該上流側のポンプ４３が起動されていることを検出すると、水位計１４による検出水位ＰＬと、上流側のポンプ４３が起動することにより流入が予測される水の量に基づいて予測水位ＶＬを算出し、当該予測水位ＶＬがポンプ起動水位ＨＷＬ以上になるときに、前記ポンプ起動水位ＨＷＬより低い水位でポンプ１３を起動する構成を前提として、制御部２１は、水位計１４による検出水位ＰＬに基づいて算出した水位の上昇速度ｖ１が予め設定された第一閾値以上となるときに、ポンプ起動水位ＨＷＬより低い水位でポンプ１３を起動するマンホールポンプ装置の制御装置となる。
【００６９】
さらに制御部２１に計時部２３と、ポンプ起動水位より低い水位でポンプを起動した時間帯を学習する学習部２４を備え、制御部２１は、計時部により計時された時刻が学習部２４で学習された時間帯に含まれるときを条件に、上述した起動水位ＨＷＬより低い水位でポンプ１３を起動する何れかの制御を実行するように構成してもよい。
【００７０】
なお、学習部２４は、ポンプ起動水位ＨＷＬより低い水位でポンプ１３を起動した時刻及び起動時間をＲＡＭに累積記憶し、１週間或いは１ヵ月等の所定期間内の累積データに基づいて統計処理し、流入量が増加する時間帯や曜日を学習するのである。
【００７１】
上述の構成によれば、制御盤を介して、起動水位ＨＷＬより低い水位でポンプ１３を起動する制御を実行するための時間帯を設定する必要が無くなる。
【００７２】
制御部２１によるポンプ１３が所定の起動水位ＨＷＬより低い水位で起動したときの時間帯の学習制御について、図８（ａ）に示すフローチャートに基づいて説明する。
【００７３】
制御部２１はポンプ１３を起動すると（ＳＤ１；ＹＥＳ）、マンホール１２の水位がポンプ起動水位ＨＷＬに達してポンプ１３が起動したのか、ポンプ起動水位ＨＷＬに達していなくても予測水位がポンプ起動水位ＨＷＬ以上になりポンプ１３起動したのかを判断する（ＳＤ２）。
【００７４】
学習部２３は、ポンプ１３がマンホール１２の水位が所定のポンプ起動水位ＨＷＬより低い水位で起動した場合（ＳＤ２；ＹＥＳ）、当該起動した時刻及び起動したときの実際の水位を記憶する。
【００７５】
制御部２１は、マンホール１２内の水位がポンプ停止水位に達すると、ポンプ１３を停止する（ＳＤ４；ＹＥＳ）。学習部２３は、ポンプ１３が停止すると（ＳＤ４；ＹＥＳ）、当該停止した時刻及び停止したときの実際の水位を記憶する（ＳＤ５）。
【００７６】
制御部２１は、学習部２３が記憶したポンプ１３の起動時と停止時の時刻からポンプ１３が起動した時間帯を算出し、ポンプ１３の起動時と停止時の時刻及び水位から、ポンプ１３が起動することにより圧送した水の流量を算出し（ＳＤ６）、学習部２３は前記時間帯及び流量を記憶する（ＳＤ７）。
【００７７】
制御部２１の学習制御によりポンプ１３が所定の起動水位ＨＷＬより低い水位で起動したときの時間帯に基づいて、起動水位ＨＷＬより低い水位でポンプ１３を起動する水位設定制御について、図８（ｂ）に示すフローチャートに基づいて説明する。
【００７８】
制御部２１は、ポンプ１３の起動制御を行うにあたり、計時部２３により計時された時刻が学習部２４で学習された時間帯に含まれるか否かを判断し（ＳＥ１）、前記時刻が前記時間帯に含まれるときに（ＳＥ１；ＹＥＳ）、通信部２２が上流側のマンホールポンプ装置４０のポンプ４３の起動制御情報を受信すると（ＳＥ２；ＹＥＳ）、起動水位ＨＷＬより低い水位でポンプ１３を起動する（ＳＥ３）。なお、学習部２３に記憶した流量に基づいて、起動水位の低下量を決定する。
【００７９】
また、制御部２１は、マンホールポンプ装置１０の設置箇所近傍の降雨量を計測する雨量計を備え、前記雨量計による単位時間当たりの降雨量の計測値が予め設定された第一閾値以上であり、且つ、通信部２２で受信された上流側のマンホールポンプ装置４０の制御情報に基づいて当該上流側のポンプ４３が起動されていることを検出すると、ポンプ起動水位ＨＷＬより低い水位でポンプ１３を起動するように構成してもよい。
【００８０】
これにより、制御部２１に備えた前記雨量計が計測する単位時間当たりの降雨量が、予め設定された前記第一閾値以上である場合に、通常より多くの水が流入する状態であると判定でき、そのような場合に上流側のポンプ４３が起動されていることを検出すると、ポンプ起動水位ＨＷＬより低い水位でポンプ１３を起動することにより、異常高水位の発生やマンホールからの水の溢れの発生を未然に回避することができるようになる。
【００８１】
また、制御部２１は、通信部２２で受信された上流側のマンホールポンプ装置４０の制御情報に基づいて当該上流側のマンホールポンプ装置４０に備えた雨量計によって計測された単位時間当たりの降雨量の計測値が予め設定された第二閾値以上であり、且つ、通信部２２で受信された上流側のマンホールポンプ装置４０の制御情報に基づいて当該上流側のポンプ４３が起動されていることを検出すると、ポンプ起動水位ＨＷＬより低い水位でポンプ１３を起動するように構成してもよい。
【００８２】
これにより、制御部２１は、上流側のマンホールポンプ装置４０に備えた雨量計によって計測された単位時間当たりの降雨量の計測値が予め設定された第二閾値以上であることを検出すると、通常より多くの水が流入する状態であると判定でき、そのような場合に上流側のポンプ４３が起動されていることを検出すると、ポンプ起動水位ＨＷＬより低い水位でポンプ１３を起動することにより、異常高水位の発生やマンホールからの水の溢れの発生を未然に回避することができるようになる。
【００８３】
また、上述した実施形態では、上流側のポンプ４３が起動されていることを検出すると、ポンプ起動水位ＨＷＬより低い水位でポンプ１３を起動する場合について説明したが、ポンプ起動水位ＨＷＬが所定の起動水位より低くなるようにポンプ起動水位ＨＷＬを可変設定してもよい。
【００８４】
例えば、制御部２１が、上流側のポンプ４３が起動されたことを検出し、水位計１４による検出水位ＰＬと、上流側のポンプ４３から流入を予測した水の量に基づいて予測水位ＶＬを算出し、当該予測水位ＶＬがポンプ起動水位ＨＷＬ以上になるときに、ポンプ起動水位ＨＷＬより低い水位でポンプ１３を起動する場合に限らず、予測水位ＶＬを算出することなく、ポンプ起動水位ＨＷＬが所定の起動水位より低くなるようにポンプ起動水位ＨＷＬを可変設定してもよい。
【００８５】
また、制御部２１は、水位計１４による検出水位に基づいて算出した水位の上昇速度ｖ１と、通信部２２で受信された上流側のマンホールポンプ装置４０の制御情報に基づいて当該上流側のポンプ４３が起動されていることを検出すると、ポンプ起動水位ＨＷＬを所定の起動水位よりも低く設定し、水位計１４により検出したマンホール１２内の水位が、所定の起動水位より低く設定されたポンプ起動水位に達すると、ポンプ１３を起動してもよい。
【００８６】
また、制御部２１は、水位計１４による検出水位に基づいて算出した水位の上昇速度ｖ１が予め設定された第一閾値以上であり、且つ、通信部２２で受信された上流側のマンホールポンプ装置４０の制御情報に基づいて当該上流側のポンプ４３が起動されていることを検出すると、ポンプ起動水位ＨＷＬを所定の起動水位より低く設定するように構成してもよい。
【００８７】
さらに、水位計１４による検出水位に基づいて算出した水位の上昇速度ｖ１が予め設定された第一閾値以上であり、且つ、通信部２２で受信された上流側のマンホールポンプ装置４０の制御情報に基づいて当該上流側のマンホールポンプ装置４０の水位上昇速度ｖ２が予め設定された第二閾値以上であることを検出すると、ポンプ起動水位ＨＷＬを低く設定するように構成してもよい。
【００８８】
何れの場合でも、水の流入量が多くなると予測される場合に、ポンプ起動水位が通常のポンプ起動水位ＨＷＬより低く設定されるために、ポンプ１３が早期に起動して異常高水位ＨＨＷＬが発生する虞を低減できる。
【００８９】
上述した実施形態では、マンホールポンプ装置１０に上流側で隣接するマンホールポンプ装置４０が一つの場合を説明したが、隣接するマンホールポンプ装置４０が複数の場合にも本発明が適用できる。
【００９０】
この場合、上流側に隣接する全てのマンホールポンプ装置の何れか一つのマンホールポンプ装置から通信部を介して得られた制御状態に基づいて上述の制御を実行すればよく、複数のマンホールポンプ装置から通信部を介して得られた制御状態の多数決原理で上述の制御を実行してもよい。
【００９１】
また、上流側に隣接するマンホールポンプ装置４０に限らず、上流側に隣接するマンホールポンプ装置４０のさらに上流に設置されたマンホールポンプ装置からの制御情報に基づいて上述の制御を実行することも可能である。
【００９２】
上述した実施形態では、分散設置された複数の処理施設としてマンホールポンプ装置を例示して説明したが、処理施設はこれに限るものではなく、監視対象が分散設置されている各種の処理施設に適用することができる。
【００９３】
上述した実施形態では、水位検出を連続的に行う構成について説明したが、水位上昇の速度を考慮して、所定のインターバルで水位を検出するように構成してもよい。
【００９４】
以上説明したマンホールポンプ装置の制御装置及び運転方法の具体的構成は実施形態の記載に限定されるものではなく、本発明による作用効果を奏する範囲において適宜変更設計可能であることはいうまでもない。
【図面の簡単な説明】
【００９５】
【図１】本発明によるマンホールポンプ装置の概略図
【図２】マンホールポンプ装置の機能ブロック図
【図３】通信部による通信の説明図
【図４】マンホール内の水位の説明図
【図５】ポンプ起動制御のフローチャート
【図６】ポンプ停止制御のフローチャート
【図７】別実施形態によるポンプ起動制御のフローチャート
【図８】（ａ）は学習制御のフローチャート、（ｂ）は水位設定制御のフローチャート
【図９】従来のマンホールポンプ装置の説明図
【図１０】従来のマンホールポンプ装置の説明図
【符号の説明】
【００９６】
１０：マンホールポンプ装置
１１ａ：流入管
１１ｂ：流出管
１２：マンホール
１３：ポンプ
１４：水位計
１５：水位計
２０：制御装置
２１：制御部
２２：通信部
２３：計時部
２４：学習部
３０：上流側のマンホールポンプ装置の制御装置
２００：制御盤装置
３００：上流側のマンホールポンプ装置の制御盤装置
ＨＨＷＬ：異常高水位
ＨＷＬ：起動水位
ＬＷＬ：貯留下端水位
ＬＬＷＬ：停止水位
【図１】
2010133079.tif 000003
【図２】
2010133079.tif 000004
【図３】
2010133079.tif 000005
【図４】
2010133079.tif 000006
【図５】
2010133079.tif 000007
【図６】
2010133079.tif 000008
【図７】
2010133079.tif 000009
【図８】
2010133079.tif 000010
【図９】
2010133079.tif 000011
【図１０】
2010133079.tif 000012